(57)【要約】【課題】網を法面に確実に密着させ、浮石の転落および礫土の滑落、流出を安定して防護でき、植生の成長環境を維持することができる密着式防護網工を提供する。【解決手段】斜面に沿って網を敷設し、両端部をアンカーで固定した複数の縦、横ロープを前記網上に間隔をおいて張設するとともに、縦、横ロープの交差部をアンカーで固定した落石等の防護網工において、前記縦、横ロープで囲まれた網部分に堰部体を配し、該堰部体を複数のアンカーロッドで係止して網部分を法面に圧接した【選択図】図１
2010285826.tif 000002
【特許請求の範囲】
【請求項１】
斜面に沿って網を敷設し、両端部をアンカーで固定した複数の縦、横ロープを前記網上に間隔をおいて張設するとともに、縦、横ロープの交差部をアンカーで固定した落石等の防護網工において、前記縦、横ロープで囲まれた網部分に堰部体を配し、該堰部体を複数のアンカーロッドで係止して網部分を法面に圧接したことを特徴とする落石等の防護網工法。
【請求項２】
堰部体は、複数の網目に渡る幅と長さを有するプレートと、網目を挿通できる間隔でプレートから下方に伸び、法面に食い込むよう先端が尖っている櫛歯を備え、縦、横ロープで囲まれた網部分のほぼ中央に配置される請求項１に記載の落石等の防護網工法。
【発明の詳細な説明】
【技術分野】
【０００１】
本発明は、山腹等の斜面において浮石の転落や礫土の崩落を防護するための網工法に関するものである。
【背景技術】
【０００２】
山腹等の法面において、落石や土砂崩壊等の恐れがある場合、その法面に沿って網を張設し、両端部をアンカーにより固定した縦、横ロープを、前記網の上面に間隔をおいて配し、それら縦、横ロープの交差部を網とともにアンカー手段により法面に固定する防護網工が実施されていた。
【０００３】
しかし、法面の多くの表面は、岩の一部や浮石、礫土などの存在により不規則で不安定な地形となっており、そのため、アンカーを打つだけでは縦横ロープおよび網が地表に十分に密着せず、浮石の転落を確実に防止できない問題があった。
この対策として、頭部の下側部にフック状の係止部を設けたフック付ピンアンカーを複数本法面に打ち込み、それにより縦ロープや横ロープあるいは網をフック状の係止部に引っ掛けて法面上に係止させるようにした防護網工法が提案されている。
【先行技術文献】
【特許文献】
【０００４】
【特許文献１】特開平７−３００８１９号公報
【発明の概要】
【発明が解決しようとする課題】
【０００５】
前記防護網工は、フック付ピンアンカーにより縦ロープや横ロープあるいは網をフックに引っ掛けることにより、網を法面に密着させようとする方式であり、フック付ピンアンカーを打った箇所においては、浮石が下方に回転しようとしても網の抵抗で浮石の回転力が阻止され、転石はある程度防止できる。
しかし、フック付ピンアンカーの網密着効果は点状の狭い範囲に限られるので、浮石の回転落下防止効果はまだ充分であるとは言えず、網の密着性を向上するには、きわめて多数のフック付ピンアンカーを打ち込まなければならず、手間とコストが高くなる問題がある。
【０００６】
しかも、降水や風化により礫土(小石を含む)が下方にずり落ちる滑落現象が発生した場合、フック付ピンアンカーによる点状の金網押し付け抵抗よりも落下エネルギーが勝るので、地表と金網の間を礫土などが滑り落ちることを十分に防止できなかった。そして、こうした礫土の滑落が表土と網の間に新たな隙間を作ることにより新たな浮石を発生させ、その転石を生じさせる問題があった。
【０００７】
本発明は、前記のような課題に対処するために開発されたものであって、その目的とするところは、網を法面に確実に密着させ、浮石の転落および礫土の滑落、流出を安定して防護でき、植生の成長環境を維持することができる密着式防護網工を提供することにある。
【課題を解決するための手段】
【０００８】
上記目的を達成するため本発明は、斜面に沿って網を張設し、両端部をアンカーで固定した複数の縦、横ロープを前記網上に間隔をおいて張設するとともに、縦、横ロープの交差部をアンカーで固定した落石等の防護網工において、前記縦、横ロープで囲まれた網部分に堰部体を配し、該堰部体を複数のアンカーロッドで係止して網部分を法面に圧接したことを特徴としている。
【発明の効果】
【０００９】
本発明は、法面に沿って敷設した網上に、両端部をアンカーした縦、横ロープ群を張設するとともに、ロープ交差部をアンカーし、そうした縦、横ロープに囲まれ区画された網部分に堰部体を配し、これを複数のアンカーロッドで係止して網部分を法面に対し点ではなく面の形態で圧接するので、良好な土留め効果が発揮され、地表と金網の間での礫土の滑落を確実に阻止できる。
そして、縦横ロープで区画された網部分ごとに礫土の滑落を防止できるので、一部で発生した礫土の滑落が下方の縦横ロープで囲まれる網部分に影響を与えることを防止でき、滑落の誘発を防止できる。また、堰部体による圧接作用により縦、横ロープ交差部で囲まれる法面と網との密着性が向上するので、浮石の転落も確実に防止できる。
さらに、礫土の滑落や流出を防止することができるので、草木の植生作用を促し、植生による法面の安定化が早期の達成できるので、斜面の防護性能が著しく向上される。
【図面の簡単な説明】
【００１０】
【図１】本発明の落石などの防護網工法の一実施例を示す全体の平面図である。
【図２】図１のＸ−Ｘ線に沿う断面図である。
【図３】端部アンカーを示す側面図である。
【図４】交差部アンカーを示す側面図である。
【図５】本発明の土留堰体の一例を示す斜視図である。
【図６】（ａ）は本発明の土留堰体施工状態を示す平面図、（ｂ）は正面図、（ｃ）は側面図である。
【図７】本発明の鍔付アンカーロッドを示す正面図である。
【図８】土留堰体の打設状態を示す正面図である。
【図９】本発明の作用を模式的に示す正面図である。
【発明を実施するための形態】
【００１１】
堰部体は、複数の網目に渡る幅と長さを有するプレートと、網目を挿通できる間隔でプレートから下方に伸び、法面に食い込むよう先端が尖っている櫛歯を備え、縦、横ロープで囲まれた網部分のほぼ中央部に配置される。
【００１２】
堰部体は櫛歯を有し、これが法面に食い込むことで堰を形成し、プレートにより網部分が法面に圧接される。網が法面に圧接されることで、礫土の滑落が防止されると同時に浮石の転石落下も防止することができ、したがって、浮石や礫土落石が下方の網尻にたまり、網が道路側にはみ出して交通の障害になるなどの問題を防止することができる。
また、櫛歯が法面に食い込んで堰を形成することにより礫土の風雨による流出も防止でき、法面の表土が良好に維持されるので、草木の成長を助け、法面の風化を防止すると同時に環境の保全維持にも効果をもたらす。
【実施例】
【００１３】
以下、添付図面を参照して本発明の実施例を説明する。
図１と図２は本発明による落石等防護網工法の一実施例であり、図１は法面に敷設した平面図、図２は図１のＸ−Ｘ断面を示している。
図中、ａは浮石の転石や礫土の滑落等による崩落の恐れがある対象法面であり、１は法面上ａに沿って敷設した網であり、繊維製でもよいが、通常は、防食処理を施した金網が用いられる。金網は土砂等の保有性を高めるべく好適にはたとえば線径３〜４ｍｍの針金を編んだ、厚さが３０〜５０ｍｍ程度の厚金網が用いられる。
【００１４】
前記網1の上に多数の縦ロープ2ａが互いに所定の間隔をおいて平行状に張設されるとともに、多数の横ロープ２ｂが互いに所定の間隔をおいて平行状に張設されている。
前記各縦ロープ２ａの上端部と下端部は、網1から離間した位置の法面に端部アンカー３により固定されている。また、各横ロープ２ｂの左右端部も、網1から離間した位置の法面に端部アンカー３により固定されている。
また、縦ロープ２ａと横ロープ２ｂの各交差部は法面に網１が密着するように網目を貫く交差部アンカー４により固定されている。
【００１５】
そして、縦ロープ２ａおよび横ロープ２ｂに囲まれて区分された矩形状の升目にある網部分１０のうち所要のものの略中央に堰部体５が配置され、アンカーロッド6と協働して網部分１０を法面表面に圧接している。
網部分１０のうち所要のものとは、法面が表面まで岩石が露出しているのでなく、岩層をある厚さで礫土が覆っている法面部分にある網部分を指し、したがって、堰部体５はすべての網部分１０でなく、一部の網部分１０に配置されていてもよい。
【００１６】
本発明による防護網工法を詳しく説明すると、落石等が発生する法面ａの雑木や浮石等を整理し、網１を上方から下方に敷設する。網１を敷設後、多数の縦ロープ２ａを上方から下方に敷設し、横ロープ２ｂを上方から下方に順次左右に敷設する。上記ロープ２ａ、２ｂは、たとえば３×７構造で直径１２ｍｍの亜鉛めっきロープが用いられる。
縦、横ロープ２ａ、２ｂと網１と接触部分は、スチールワイヤをスパイラル状に型付けした結合コイル９で結合される。
【００１７】
縦、横ロープ２ａ、２ｂの端末は、図３に示すように端部アンカー３で岩層ｃに固定されている。
端部アンカー３は、周面に多数の突起３３０を備えたアンカーロッド３３と、該アンカーロッド３３の上部の雄ねじにナット３５で締め込まれる支圧板３４等からなり、岩層ｃに削岩機等で穿孔したモルタル注入孔３１に定着剤たとえばモルタル３２を注入し、アンカーロッド３３を挿入し、モルタルの凝固後、縦横ロープ２ａ、２ｂの端部アイをアンカーロッド３３の上端部を経由するように取り付け、支圧板３４をナット３５で締め付け固定される。
【００１８】
縦、横ロープ２ａ、２ｂの交差部は図４に示す縦横ロープの交差部アンカー４で固定されている。
交差部アンカー４は、周面に多数の突起４３０を備えたアンカーロッド４３と該アンカーロッド上部に取り付けられナット４５で締め込まれるグリップ金具４４等からなる。
グリップ金具４４は、十字交差状の溝を内面に形成した上下の挟み用盤とそれらを締結するための２組のボルトナット類からなり、1組はアンカーロッド43の上端部の雄ねじが利用される。
【００１９】
削岩穿孔機等で穿孔したモルタル注入孔４１に定着剤たとえばモルタル４２を注入し、アンカーロッド４３を挿入し、モルタル４２の凝固後、縦横ロープ２ａ、２ｂの交差部をグリップ金具４４の上下の挟み用盤に挟むとともに、上下の挟み用盤にアンカーロッド４３を貫かせ、ナット４５で上下の挟み用盤を締め付け固定し、これと別な位置で、上下の挟み用盤をボルトナット４６で締め付け固定される。
【００２０】
こうして縦、横ロープ２ａ、２ｂの交差部を法面に固定し、縦、横ロープ２ａ、２ｂと網1との接触部位を結合コイル９で結合することにより、図１のように、縦、横ロープ２ａ、２ｂで区分された矩形状の多数の網部分１０が形成される。それら網部分１０の所要のものを堰部体５が法面に圧接している。
図５は堰部体５を単体の状態で示しており、図６は使用状態を示している。
堰部体５は、複数の網目にまたがる幅と長さを有する金属製のプレート５ａと、プレート５ａの端縁部において下方に伸びる櫛歯5ｂを供えている。
【００２１】
プレート５ａはたとえば６０×４４０ｍｍの矩形状をなし、櫛歯5ｂは網目を挿通できる間隔で前縁部位と後縁部位に４〜６本設けられる。櫛歯5ｂの長さは５０〜８０ｍｍであり、法面の礫土層ｂに食い込むよう先端が尖っている。櫛歯5ｂはプレート５ａと一体に加工されていてもよいし、鋼棒や帯板で別体に作り、溶接でプレート５ａに取り付けてもよい。
プレート５ａにはこれを礫土層ｂに固定するためのアンカーロッド６を挿通するたとえば直径１０ｍｍ程度の複数個の孔5ｃが配設されている。
【００２２】
図7はプレート５ａを礫土層ｂに固定するための鍔付きのアンカーロッド6を示しており、たとえば長さ５００ｍｍ、直径９ｍｍのロッド６ａの上部に厚さ５ｍｍ、直径２０ｍｍの鍔６ｃが溶接等の手段で固着されている。また、鍔６ｃよりも上部には打ち込み打点となるべき頭部６ｂがある。
【００２３】
施工にあたっては、図８のように堰部体５を縦ロープ２ａおよび横ロープ２ｂに囲まれて区分された矩形状の網部分１０のほぼ中央部位に対峙させる。このときに、プレート５ａは平面から見て図6（ａ）のように横向きつまり横ロープと平行状になるように配置する。このときに、プレート５ａの孔５ｃが網目１００に位置するように位置を調整する。
そして、鍔付きのアンカーロッド６をプレート５ａの孔５ｃに挿通し、ピンアンカー６の頭部6ｂを打設機８の打撃ヘッド8ｂに嵌めて打ち込む。これにより、ピンアンカー６が法面の表面から礫土層ｂに打ち込まれ、鍔6ｃによりプレート５ａが押圧移動され、櫛歯5ｂが礫土層ｂに食い込み、プレート５ａが網部分１0を法面に圧接する。網部分１０は厚さ方向にやや押し潰される用に変形する。また、山側と谷側に並んでいる櫛歯５ｂが礫土層ｂに埋め込まれるので、堰の機能を果たすことになる。
【００２４】
図９は堰部体５の作用を模式図的に示したもので、鍔付ピンアンカー6でアンカーされた堰部体５はプレート５ａが網部分１0を法面に圧接するので浮石の転石落下を防止できる。しかも、櫛歯5ｂが礫土層ｂに食い込んで土留めとなるので、風化などにより礫土ｂ´がずり落ちようとしてもこれを堰き止め、法面下方への滑落を防止することができる。
【００２５】
なお、法面の形状により、法面に対し縦、横ロープ２ａ、２ｂや網１が大きく遊離し、地表と網１の間に大きな隙間が形成されるような場合には、従来の防護網工法と同じように、図２のようにフック付アンカー７を使用するとよい。
フック付アンカー７は、長さ２００ｍｍ、直径９ｍｍのピン状ロッド７ａの上部に下向きのフック部７ｃが溶接等の手段で定着されたもので、フック部に縦、横ロープ２ａ、２ｂないし網１を引っ掛け、頭部に打設機のヘッドはめて打ち込み固定する。これで縦ロープ２ａ又は横ロープ２ｂと網１あるいはまた網１のみを法面に一段と密着することができる。
【００２６】
なお、縦、横ロープ２ａ、２ｂの間隔が大きい場合には、それら縦、横ロープ２ａ、２ｂで囲まれる網部分１０の面積も大きくなるので、堰部体５の寸法を大きくするか、堰部体５をひとつの網部分１０に複数並列状に配置してそれぞれピンアンカーで固定すればよく、これも本発明に含まれる。
【符号の説明】
【００２７】
ａ    斜面（法面）
ｂ    礫土層
ｃ    岩層
１    網（厚金網等）
１０  網部分
２ａ  縦ロープ
２ｂ  横ロープ
３    端部アンカー
４    交差部アンカー
５    堰部体
５ａ  プレート
５ｂ  櫛歯
５ｃ  孔
６    鍔付のアンカー
６ａ  アンカーロッド
６ｂ  打ち込み頭部
６ｃ  鍔
【図１】
2010285826.tif 000003
【図２】
2010285826.tif 000004
【図３】
2010285826.tif 000005
【図４】
2010285826.tif 000006
【図５】
2010285826.tif 000007
【図６】
2010285826.tif 000008
【図７】
2010285826.tif 000009
【図８】
2010285826.tif 000010
【図９】
2010285826.tif 000011